(57)【要約】【課題】吐出容量の大きな加圧送水ユニットであっても、ベースを大型化することなく、大型のポンプや駆動モータ、制御盤をベース上に安定的に設置し、狭い設置スペースに簡易な作業で据え付けることができるようにする。【解決手段】ユニット１のベース２を、ポンプ３、駆動モータ４など構成機器が設置される主体ベース２１と、制御盤５のみが設置される補助ベース２２に分割して形成するともに、両ベース２１、２２を並設した状態で互いの側端部同士を継ぎ合わせて一体に連結できるように構成する。【選択図】図２
2013111363.tif 000002
【特許請求の範囲】
【請求項１】
ポンプ、駆動モータ及び制御盤を含む加圧送水装置構成機器がベース上に設置されてなる加圧送水ユニットにおいて、
前記ベースは一体に並設し又は分離して設置可能な主体ベースと補助ベースとに分割して構成され、
上面に制御盤以外の加圧送水装置構成機器が設置された主体ベースに、上面に制御盤が設置された補助ベースを一体に連結した構成を有することを特徴とする加圧送水ユニット。
【請求項２】
主体ベースの側端部に補助ベースの側端部を継ぎ合わせ、継ぎ合わせた前記両側端部をボルトの締結により一体に連結した構成を有することを特徴とする請求項１に記載の加圧送水ユニット。
【請求項３】
請求項１又は２に記載の加圧送水ユニットの据え付け方法において、
主体ベース上に設置した制御盤以外の加圧送水装置構成機器と、補助ベース上に設置した制御盤とを両ベースが分離されている状態で加圧送水ユニットの据え付け場所にそれぞれに搬入し、
据え付け場所の躯体面上に前記主体ベースを設置し、当該設置された主体ベースに前記補助ベースを継ぎ合わせて両ベースを一体に連結して、
据え付け場所に据え付けることを特徴とする加圧送水ユニットの据え付け方法。
【請求項４】
据え付け場所の躯体面上で主体ベースと補助ベースを継ぎ合わせる前に、前記主体ベースを基礎ボルトで前記躯体面に固定することを特徴とする請求項３に記載の加圧送水ユニットの据え付け方法。
【発明の詳細な説明】
【技術分野】
【０００１】
本発明は、ポンプ、これを駆動するモータ、制御盤などにより構成される、消火ポンプや給水ポンプなどの加圧送水装置がベース上に一体的に搭載された加圧送水ユニットの構造に関する。
【背景技術】
【０００２】
公共の建造物やデパート、ホテルなどには、消防法により消火ポンプの設置が義務づけられている。
かかる消火ポンプは、例えば図８に示されるように、ポンプ１０１、駆動モータ１０２、制御盤１０３、吸込配管口１０４、吐出配管口１０５、バルブ１０６、フレキシブルパイプ１０７、試験装置（試験配管）１０８、仕様に応じて呼水槽１０９や圧力タンク１１０などの、消火ポンプ１００を構成する機器を一つのユニットとし、これら各機器を共通のベース１１１上に一体に設置して構成される場合が多い（例えば特許文献１参照）。
【先行技術文献】
【特許文献】
【０００３】
【特許文献１】特開２０００−９３５４３号公報
【発明の概要】
【発明が解決しようとする課題】
【０００４】
前記ユニット化された消火ポンプ１００において、吐出容量が大きな仕様のものでは大型のポンプ１０１及び駆動モータ１０２が用いられ、流量の大きなポンプ１０１を運転するのに必要な電力量が大きくなるのに伴い、制御盤１０３には出力が大きな大型のトランス、インバータ、ブレーカなどの電気機器類が収納され、制御盤１０３の体積は大きくなり且つ大重量化する。
【０００５】
この場合、図９に示されるように、大型のポンプ１０１、駆動モータ１０２及び前記消火ポンプ１００の構成機器とともに、フレーム１１２を介して大重量化した制御盤１０３を共通のベース１１１上に設置して消火ポンプ１００をユニット化すると、ベース１１１上から制御盤１０３が側方へはみ出すため、当該ユニットが設置現場に据え付けられる前或いは搬入、据え付け作業時に転倒しないような対策を講じる必要があり、また、フレーム１１２上に制御盤１０３を設置したのでは、制御盤１０３の操作位置が高くなって操作性が低下するという問題がある。
【０００６】
無論、ベース１１１の縦横の幅を広げて機器の設置面積を大きくすれば、大型の制御盤１０３をベース１１１上からはみ出ない位置に安定して設置することは可能であるが、ベース１１１の大型化はその構成材料である鋼材代や溶接などの製作費用といった生産コストの増加をもたらし、また、ベース１１１の重量が増してユニット化された消火ポンプ１００全体が大重量となるため、クレーンなどの大型の搬送機材を用いた設置現場への搬入や据え付け作業がし難くなるという問題がある。
消火ポンプ１００は建造物の地階などの設置面積が限られた狭小スペースに設置されることが多く、ベース１１１が大きくなって消火ポンプ１００の設置面積が拡大し且つ全体の重量が大きくなると、設置場所への搬入や据え付け作業に多大な労力が必要となり、設置工事コストも高くならざるを得ない。
【０００７】
本発明は従来技術の有するこのような問題点に鑑み、その目的とするところは、吐出容量の大きな加圧送水ユニットであっても、ベースを大型化することなく、大型のポンプや駆動モータ、制御盤をベース上に安定的に設置して支持することができ、狭い設置スペースに簡易な作業で据え付けることができるようにすることにある。
【課題を解決するための手段】
【０００８】
前記課題を解決するため本発明の加圧送水ユニットは、ポンプ、駆動モータ及び制御盤を含む加圧送水装置構成機器がベース上に設置されてなる加圧送水ユニットにおいて、
前記ベースは一体に並設し又は分離して設置可能な主体ベースと補助ベースとに分割して構成され、
上面に制御盤以外の加圧送水装置構成機器が設置された主体ベースに、上面に制御盤が設置された補助ベースを一体に連結した構成を有することを特徴とする。
また、前記構成の加圧送水ユニットにおいて、主体ベースの側端部に補助ベースの側端部を継ぎ合わせ、継ぎ合わせた前記両側端部をボルトの締結により一体に連結した構成を有することを特徴とする。
【０００９】
また、本発明の加圧送水ユニットの据え付け方法は、前記構成の加圧送水ユニットであって主体ベース上に設置した制御盤以外の加圧送水装置構成機器と、補助ベース上に設置した制御盤とを両ベースが分離されている状態で加圧送水ユニットの据え付け場所にそれぞれに搬入し、
据え付け場所の躯体面上に前記主体ベースを設置し、当該設置された主体ベースに前記補助ベースを継ぎ合わせて両ベースを一体に連結して、据え付け場所に据え付けることを特徴とする。
また、前記据え付け方法において、据え付け場所の躯体面上で主体ベースと補助ベースを継ぎ合わせる前に、前記主体ベースを基礎ボルトで前記躯体面に固定することを特徴とする。
前記躯体面上で主体ベースと補助ベースを一体に継ぎ合わせた後、ポンプの吸込配管、吐出配管などの主体ベース上に設置された加圧送水装置構成機器の配管接続と、補助ベース上に設置された制御盤と駆動モータなどの主体ベース上に設置された加圧送水装置構成機器との電気配線とが行われる。
【００１０】
なお、本発明において加圧送水装置は、ポンプとこれを駆動するモータを具備する各種ポンプ及び送・給水装置をいい、消火ポンプや給水ポンプ、定圧ポンプなどが含まれる。また、加圧送水装置構成機器は、ポンプ、駆動モータ及び制御盤を最少の構成単位として、ベース上に一体に設置される加圧送水装置の構成機器をいい、ポンプ、駆動モータ及び制御盤の他に、吸込配管口や吐出配管口、バルブ、フレキシブルパイプ、試験装置、呼水槽、圧力タンクなどが含まれる。
【発明の効果】
【００１１】
本発明によれば、加圧送水装置構成機器が搭載されるベースが、一体に並設し又は分離して設置可能な主体ベースと補助ベースとに分割して形成されているので、主体ベースに制御盤以外の装置構成機器、補助ベースに制御盤をそれぞれ設置して構成し、これを分離したまま据え付け現場に搬入し、搬入場所において両ベースを一体に連結して加圧送水ユニットを構成し、据え付けることができる。
制御盤が設置される補助ベースを主体ベースと別体とすることで、ベースを大型化することなく既存の大きさのベースに大型のポンプや駆動モータを設置してユニット化することができ、大型のベースの作製コストがかからず、吐出容量が大きな加圧送水ユニットを低廉なコストで構成し設置することができる。
また、主体ベースと補助ベースを分離させた状態で運搬することができるので、据え付け現場への搬入に手間がかからず、設置スペースが狭くても分離したそれぞれのベースを搬入可能であり、搬入場所の据え付け工事も簡易に行うことができる。さらに、制御盤が設置された補助ベースは主体ベースに並設して連結され、据え付け現場に機器を搬入する前に、ポンプや駆動モータなどの電気機器類と制御盤の取り付け位置を特定することできるので、据え付け現場での電気配線を簡易な作業で行うことが可能となる。
【図面の簡単な説明】
【００１２】
【図１】本発明の一実施形態である消火ポンプユニットの正面図（Ａ）と側面図（Ｂ）である。
【図２】図１の消火ポンプユニットの概略構成図であり、（Ａ）は主体ベースと補助ベースを連結する前の状態、（Ｂ）は連結後の状態を示した図である。
【図３】主体ベースと補助ベースの継ぎ合わせ部の構成の一例を示した図である。
【図４】図３の主体ベースと補助ベースを連結した状態の（Ａ）はベースの平面図、（Ｂ）は側面図である。
【図５】主体ベースと補助ベースの継ぎ合わせ部の他の構成例を示した図である。
【図６】図５の主体ベースと補助ベースを連結した状態の（Ａ）はベースの平面図、（Ｂ）は側面図である。
【図７】本発明の他の実施形態である消火ポンプユニットの概略構成図である。
【図８】従来の消火ポンプユニットの一例の構成を示した図である。
【図９】大型の制御盤を共通ベースに搭載した従来の消火ポンプユニットの正面（Ａ）と側面（Ｂ）の概略構成図である。
【発明を実施するための形態】
【００１３】
本発明の好適な実施形態を図面に基づいて説明する。
図１は本発明を適用した消火ポンプユニットの一実施形態を示している。
この消火ポンプユニット１は、ポンプ３や駆動モータ４、制御盤５などの消火ポンプの構成機器が設置されるベース２を主体ベース２１と補助ベース２２に分割して形成するとともに、主体ベース２１上にポンプ３や駆動モータ４などの制御盤５以外の構成機器を設置して主体ユニット１Ａを構成し、補助ベース２２上には制御盤５を設置して制御盤ユニット１Ｂを構成し、図２に示されるように、消火ポンプユニット１の据え付け現場に両ユニット１Ａ、１Ｂを分離した状態で搬入し、搬入後に主体ベース２１と補助ベース２２の側端部を継ぎ合わせ、継ぎ合わせ部をボルトで締結するなどして、両ユニット１Ａ、１Ｂを一体に連結して構成されるものである。
【００１４】
なお、図１中、符番６は吸込配管口、７は吐出配管口、８はバルブ、９はフレキシブルパイプ、１０は試験装置、１１は呼水槽、１２は圧力タンクである。また、同図に示された消火ポンプユニット１は、主体ベース２１がその縦横が２２４０ｍｍ×８１０ｍｍ、補助ベース２２が４４５ｍｍ×８１０ｍｍ程度の大きさにそれぞれ形成され、補助ベース２２上に高さが１８００ｍｍ程度の大きさの制御盤５を設置した構成のものである。
【００１５】
より詳しくは、ベース２を構成する主体ベース２１と補助ベース２２は、ともに複数の鋼材を組み付け溶接一体化してなり、主体ベース２１はその上面に制御盤５以外の消火ポンプ構成機器を設置可能な面積を有する横長矩形状に形成され、補助ベース２２はその上面に制御盤５のみが設置可能な面積を有する矩形状に形成されている。
【００１６】
主体ベース２１の短手辺の一側の側端部と補助ベース２２の長手辺の一側の側端部にはそれぞれ継ぎ合わせ部２１ａ、２２ａが設けられており、互いに継ぎ合わせ部２１ａ、２２ａが突き合うように両ベース２１、２２を並設した状態で、両継ぎ合わせ部２１ａ、２２ａをボルトで締結することにより、両ベース２１、２２の側端部同士を一体に連結することができるように設けてある。
【００１７】
主体ベース２１と補助ベース２２に設ける継ぎ合わせ部２１ａ、２２ａは、例えば図３及び図４に示されるように、主体ベース２１の継ぎ合わせ部２１ａをその短手側端部を凹状に切り欠いて形成するとともに、補助ベース２２の継ぎ合わせ部２２ａを、前記凹状の切り欠き部に嵌り合うように、その長手側端部を突出させて形成し、両継ぎ合わせ部２１ａ、２２ａの凹凸を嵌め合わせた状態で、継ぎ合わせた部分に宛て板１３を重ね合わせ、これをそれぞれにボルト１４で締結することで一体に連結するように構成することができる。
また、例えば図５及び図６に示されるように、補助ベース２２の継ぎ合わせ部２２ａを、主体ベース２１の継ぎ合わせ部２１ａの上面に部分的に重なるように形成し、主体ベース２１と補助ベース２２の側端部同士が接合するように並設した状態で、重なり合った両継ぎ合わせ部２１ａ、２２ａをボルト１４で締結することで一体に連結するように構成してもよい。前記継ぎ合わせ部２２ａを主体ベース２１の継ぎ合わせ部２１ａの上面に重なるようにすることでベース２が設置される躯体と補助ベース２２との摩擦面が減ることから、上面に制御盤５を載せて支持した補助ベース２２を据え付け場所に一旦設置した後、設置位置を位置合わせするための微調整の移動がし易くなり、ベース２の据え付けをよりスムーズに行うことができる。
【００１８】
本形態の消火ポンプユニット１は、組み立て工場において、前記主体ベース２１の上面に、ポンプ３、駆動モータ４、吸込配管口６、吐出配管口７、バルブ８、フレキシブルパイプ９、試験装置１０、呼水槽１１、圧力タンク１２などの消火ポンプ構成機器を設置して主体ユニット１Ａを組み立てるとともに、補助ベース２２に制御盤５を設置して制御盤ユニット１Ｂを組み立てる。
そして、これら組み立てた主体ユニット１Ａと制御盤ユニット１Ｂを分離した状態で、消火ポンプユニット１の据え付け場所にそれぞれに搬入し、両ユニット１Ａ、１Ｂの据え付け工事が行われる。
【００１９】
据え付けは、据え付け場所の躯体面上に主体ユニット１Ａの主体ベース２１を設置し、設置された主体ベース２１に制御盤ユニット１Ｂの補助ベース２２を継ぎ合わせ、継ぎ合わせ部をボルト１４で締結するなどして両ベース２１、２２を一体に連結する。この場合、主体ベース２１を躯体面上に設置した後、これを基礎ボルトで躯体面に固定し、固定された主体ベース２１に制御盤ユニット１Ｂの補助ベース２２を連結すれば、据え付け工事中に両ユニット１Ａ、１Ｂが転倒する虞が小さくなってより好ましい。
その後、主体ユニット１Ａの主体ベース２１上に設置された、ポンプ３や吸込配管口６、吐出配管口７などの配管接続を行い、配管接続完了後、補助ベース２２上に設置された制御盤５とポンプ３や駆動モータ４などの主体ユニット１Ａ上の電機器類との電気配線を行うことで据え付けが完了する。
【００２０】
本形態の消火ポンプユニット１によれば、主体ベース２１上にポンプ３や駆動モータ４を設置した主体ユニット１Ａと、補助ベース２２上に制御盤５を設置した制御盤ユニット１Ｂを別体とすることで、大型のベース２を用いることなく、吐出容量が大きなポンプ３や駆動モータ４を搭載した消火ポンプユニット１を低廉なコストで作製することが可能となる。
また、主体ユニット１Ａと制御盤ユニット１Ｂを分離した状態で運搬することができるので、据え付け現場への搬入に手間がかからず、それぞれ狭い設置スペースに分離して搬入し、搬入場所の据え付け工事も簡易に行うことができ、さらに、制御盤５が設置された補助ベース２２は主体ベース２１に並設して連結され、据え付け現場に機器を搬入する前に、ポンプ３や駆動モータ４などの電気機器類と制御盤５の配置位置を特定することできるので、据え付け現場での電気配線を簡易な作業で行うことができる。
【００２１】
なお、図７に示されるように、主体ベース２１の呼水槽１１が設置される側の端部に補助ベース２２が連結されるように構成してもよく、また、主体ベース２１の長手辺側の側端部に補助ベース２２との継ぎ合わせ部２２ａを設けてもよい。本発明は、給水ポンプや定圧ポンプなどの、消火ポンプ以外の各種のポンプや送・給水装置を、ベース上にユニット化して設置する態様に適用可能である。
【符号の説明】
【００２２】
１  消火ポンプユニット、１Ａ  主体ユニット、２Ａ  制御盤ユニット、２  ベース、２１  主体ベース、２２  補助ベース、２１ａ，２２ａ  継ぎ合わせ部、３  ポンプ、４  駆動モータ、５  制御盤、６  吸込配管口、７  吐出配管口、８  バルブ、９  フレキシブルパイプ、１０  試験装置、１１  呼水槽、１２  圧力タンク、１３  宛て板、１４  ボルト
【図１】
2013111363.tif 000003
【図２】
2013111363.tif 000004
【図３】
2013111363.tif 000005
【図４】
2013111363.tif 000006
【図５】
2013111363.tif 000007
【図６】
2013111363.tif 000008
【図７】
2013111363.tif 000009
【図８】
2013111363.tif 000010
【図９】
2013111363.tif 000011